(57)【要約】【課題】複数の無線局を有した無線通信システムで、例えば、アドホック通信を行うに際して、効果的な暗号化を行う。【解決手段】無線局により伝送される信号には、データと、データの発信元情報と、データの宛先情報と、信号の送信元情報と、信号の受信先情報が含まれる。発信元となる無線局は、データ、発信元情報、宛先情報、送信元情報及び受信先情報を暗号化して信号を無線により送信し、中継局となる無線局は、無線により受信した信号に含まれるデータ、発信元情報及び宛先情報については受信時の暗号化されたままの状態で、送信元情報及び受信先情報については新たな情報へ置き換えて暗号化して、受信した信号を中継する信号を無線により送信し、宛先となる無線局は、無線により受信した信号に含まれるデータを復号する。【選択図】  図１
2008131083.tif 000002
【特許請求の範囲】
【請求項１】
複数の無線局を有した無線通信システムにおいて、
前記無線局により伝送される信号には、伝送対象となるデータと、前記データの発信元を識別する発信元情報と、前記データの宛先を識別する宛先情報と、当該信号の送信元を識別する送信元情報と、当該信号の受信先を識別する受信先情報が含まれ、
発信元となる無線局は、前記データ、前記発信元情報、前記宛先情報、前記送信元情報及び前記受信先情報を暗号化して前記信号を無線により送信し、
中継局となる無線局は、無線により受信した信号に含まれる前記データ、前記発信元情報及び前記宛先情報については受信時の暗号化されたままの状態で、前記送信元情報及び前記受信先情報については新たな情報へ置き換えて暗号化して、前記受信した信号を中継する信号を無線により送信し、
宛先となる無線局は、無線により受信した信号に含まれる前記データを復号する、
ことを特徴とする無線通信システム。
【発明の詳細な説明】
【技術分野】
【０００１】
本発明は、例えばアドホック通信を行う無線通信システムに関し、特に、効果的な暗号化を行う無線通信システムに関する。
【背景技術】
【０００２】
アドホック通信では、直接には電波が到達しない局間の通信に対して、相互に電波が到達する位置にある１又は複数の局で中継することによって、発信元の局から宛先の局へデータを伝送させることが行われる。一方、無線通信では、その通信内容を第三者に知られないようにするために暗号が使用されることが多い。暗号化をアドホック通信に適用する場合には、例えば、各局で電波を受信したときに暗号を解き、受信した信号が中継すべき信号であったときには、新たな鍵で再度暗号化して送信する方法が用いられている。
しかしながら、このように一旦暗号を解いてその同じ情報を別の鍵で再暗号化することは、暗号の好ましい使い方ではない。
【０００３】
図４には、アドホック通信系を構成する無線局の配置の一例を示してある。図４において、Ａ、Ｂ、Ｃ、Ｄはそれぞれ無線局を示しており、それぞれを中心として囲む円（破線）はそれぞれの局による電波の到達範囲を示している。
本例では、無線局Ａと無線局Ｃや、無線局Ｃと無線局Ｄや、無線局Ｄと無線局Ｂは、それぞれ電波の到達範囲内にあるが、無線局Ａと無線局Ｂ、Ｄや、無線局Ｃと無線局Ｂは、電波が到達しない距離に位置している。
このような状況で無線局Ａが無線局Ｂへデータを伝送する場合、無線局Ａは、そのデータの発信元が無線局Ａであり宛先が無線局Ｂであることをメッセージ中に表示した上で、そのデータを無線局Ａからの到達範囲にある無線局Ｃに向けて無線により送信する。無線局Ｃはそのデータを受信して中継して無線局Ｄに向けて無線により送信し、無線局Ｄはそのデータを受信して中継して無線局Ｂに向けて無線により送信する。無線局Ｂは、そのデータを受信して、そのデータの宛先が自局であることを検知してそのデータを取り込む。
【０００４】
図５には、上記のような中継動作を実現するために用いられる各無線局からの送信信号のフォーマットの一例として、無線局Ａからの送信信号と、無線局Ｃからの送信信号と、無線局Ｄからの送信信号を示してある。
各送信信号は、４個のアドレス信号と、伝送データとで構成される。
４個のアドレス信号の内、先頭の２個のアドレス部分は電波の受信局を指定するアドレス（受信局アドレス）と送信局を示すアドレス（送信局アドレス）であり、その後の２個のアドレス部分は伝送データの宛先を指定するアドレス（宛先アドレス）と発信元を示すアドレス（発信元アドレス）である。
ここで、アドレスＡＤ１は無線局Ａのアドレスであり、アドレスＡＤ２は無線局Ｂのアドレスであり、アドレスＡＤ３は無線局Ｃのアドレスであり、アドレスＡＤ４は無線局Ｄのアドレスである。各無線局のアドレスの情報としては、各無線局を識別する番号などの情報が用いられる。
【０００５】
従って、図４の例では、信号中における後側の２個のアドレス部分は、データの宛先である無線局ＢのアドレスＡＤ２と、データの発信元である無線局ＡのアドレスＡＤ１になり、また、先頭の２個のアドレス部分は、中継のたびに異なったアドレスになる。例えば、無線局Ｃからの送信信号では、その伝送データが無線局Ａから無線局Ｂに宛てたデータであり、無線局Ｄを受信先に指定して無線局Ｃが送信していることを示している。
【０００６】
このような信号を暗号化して伝送する場合には、例えば、１回の無線伝送毎に独立に、送信側での暗号化及び受信側での復号を行っている。
図６には、このような暗号化が行われる場合における各無線局からの送信信号のフォーマットの一例として、無線局Ａからの送信信号と、無線局Ｃからの送信信号と、無線局Ｄからの送信信号を示してある。
図６において、各信号名の添え字ａ、ｃ、ｄは、元の符号が暗号化されていることを示しており、ａは無線局Ａの鍵により暗号化されたものを表しており、ｃは無線局Ｃの鍵により暗号化されたものを表しており、ｄは無線局Ｄの鍵により暗号化されたものを表している。
【０００７】
無線局Ａから無線局Ｃへの伝送では、信号の全て（ＡＤ３、ＡＤ１、ＡＤ２、ＡＤ１、データ）が無線局Ａの送信時点における鍵に従って暗号化されて送信され、無線局Ｃで復号されて元の符号列に戻される。無線局Ｃから無線局Ｄへの伝送では、その元に戻された符号列が無線局Ｃの送信時点における鍵に従って再度暗号化されて送信され、無線局Ｄで復号されて元の符号列に戻される。更に、無線局Ｄから無線局Ｂへの伝送では、その元に戻された符号列が無線局Ｄの送信時点における鍵に従って再度暗号化されて送信され、無線局Ｂで復号されて元の符号系列に戻され、受信データとして受け取られる。
このように、宛先アドレスＡＤ２、発信元アドレスＡＤ１、及びデータの部分について見ると、同じ符号を３回異なる鍵で暗号化して送信することになり、暗号の使い方として好ましくない。
【０００８】
【特許文献１】特開２００３−１８２３４号公報
【発明の開示】
【発明が解決しようとする課題】
【０００９】
上述のように、アドホック通信を行う無線通信システムでは、暗号の使用方法について未だに不十分な点があり、更なる開発が要求されていた。
本発明は、このような従来の事情に鑑み為されたもので、例えばアドホック通信を行うに際して、効果的な暗号化を行うことができる無線通信システムを提供することを目的とする。具体的には、例えば、アドレス情報やデータを暗号化して秘匿するという目的を実現するとともに、中継局においてデータ等の再暗号化を回避するという目的を実現する。
【課題を解決するための手段】
【００１０】
上記目的を達成するため、本発明では、複数の無線局を有した無線通信システムにおいて、次のような構成とした。
すなわち、前記無線局により伝送される信号には、伝送対象となるデータと、前記データの発信元を識別する発信元情報と、前記データの宛先を識別する宛先情報と、当該信号の送信元を識別する送信元情報と、当該信号の受信先を識別する受信先情報が含まれる。
発信元となる無線局は、前記データ、前記発信元情報、前記宛先情報、前記送信元情報及び前記受信先情報を暗号化して前記信号を無線により送信する。
中継局となる無線局は、無線により受信した信号に含まれる前記データ、前記発信元情報及び前記宛先情報については受信時の暗号化されたままの状態で、前記送信元情報及び前記受信先情報については新たな情報へ置き換えて暗号化して、前記受信した信号を中継する信号を無線により送信する。
宛先となる無線局は、無線により受信した信号に含まれる前記データを復号する。
【００１１】
従って、発信元となる無線局から宛先となる無線局へ他の無線局（中継局）を介して暗号化されたデータを伝送するに際して、中継局では、中継対象となる信号に含まれる全ての部分を再暗号化（一旦復号して再び暗号化）するのではなく、一部分のみを自局で暗号化するため、例えば、アドホック通信を行うに際して、効果的な暗号化を行うことができる。具体的には、例えば、アドレス情報やデータを暗号化して秘匿することを実現するとともに、中継局においてデータ等の再暗号化を回避することを実現することができる。
ここで、発信元や宛先や送信元や送信先を識別する情報としては、種々な情報が用いられてもよく、例えば、各無線局を識別する固有の装置番号や固有の文字列などの情報を用いることができる。
【００１２】
無線局の装置の構成例を示す。
複数の無線局を有する無線通信システムで用いられる当該無線局において、
前記無線局により伝送される信号には、伝送対象となるデータと、前記データの発信元を識別する発信元情報と、前記データの宛先を識別する宛先情報と、当該信号の送信元を識別する送信元情報と、当該信号の受信先を識別する受信先情報が含まれ、
前記無線局は、信号を無線により受信する受信手段と、
信号を無線により送信する送信手段と、
暗号化を行う暗号化手段と、
暗号の復号を行う復号手段と、
中継の経路情報に基づいて次の受信先となる無線局を決定する決定手段と、
発信元の無線局となる場合に、伝送対象となるデータ、発信元情報となる自局を識別する情報、宛先情報、送信元情報となる自局を識別する情報及び受信先情報である前記決定手段により決定された無線局を識別する情報を前記暗号化手段により暗号化し、当該暗号化結果を含む信号を前記送信手段により送信する発信元制御手段と、
前記受信手段により受信された信号に含まれる受信先情報を前記復号手段により復号した結果に基づいて当該受信先情報が自局を識別する情報であるか否かを判定し、そうである場合には、前記受信された信号に含まれる宛先情報を前記復号手段により復号した結果に基づいて当該宛先情報が自局を識別する情報であるか否かを判定し、そうでない場合には、中継局として、受信されたデータと発信元情報と宛先情報については受信時の暗号化されたままの状態で、送信元情報となる自局を識別する情報及び受信先情報となる前記決定手段により決定された無線局を識別する情報については前記暗号化手段により暗号化し、これらを含む信号を前記送信手段により送信する中継制御手段と、
前記受信された信号に含まれる宛先情報を前記復号手段により復号した結果に基づいて当該宛先情報が自局を識別する情報であるか否かを判定し、そうである場合には、受信されたデータを前記復号手段により復号する宛先制御手段と、を備えた、
ことを特徴とする無線局。
【発明の効果】
【００１３】
以上説明したように、本発明に係る無線通信システムによると、例えば、アドホック通信を行うに際して、効果的な暗号化を行うことができ、具体的には、アドレス情報やデータを暗号化して秘匿することを実現するとともに、中継局においてデータ等の再暗号化を回避することを実現することができる。
【発明を実施するための最良の形態】
【００１４】
本発明に係る実施例を図面を参照して説明する。
【実施例１】
【００１５】
本発明の第１実施例を説明する。
図１には、本例の無線通信システムを構成する端末局となる無線局の系統の一例（無線局の装置の構成の一例）を示してある。
本例の無線局は、送信メモリ１と、暗号化部２と、変調回路３と、送信回路４と、送受スイッチ（送受ＳＷ）５と、アンテナ６と、受信回路７と、復調回路８と、中継データメモリ９と、暗号解読部１０と、受信メモリ１１と、制御部１２を備えている。
制御部１２には、送信制御部２１と、受信制御部２２と、中継制御部２３と、ルーティング制御部２４を備えている。
【００１６】
本例の無線通信システムでは、一例として、図４に示されるようなアドホック通信を行う。各無線局Ａ、Ｂ、Ｃ、Ｄは、図１に示されるような同様な構成を有している。
また、本例では、上記のようなアドホック通信における中継動作を実現するために、一例として、図５に示されるような送信信号のフォーマットを用いる。
ここで、アドレスＡＤ１は無線局Ａのアドレスであり、アドレスＡＤ２は無線局Ｂのアドレスであり、アドレスＡＤ３は無線局Ｃのアドレスであり、アドレスＡＤ４は無線局Ｄのアドレスである。各無線局のアドレスの情報としては、各無線局を識別する番号などの情報が用いられる。
【００１７】
図２には、暗号化が行われる場合における中継動作で用いられる各無線局からの送信信号のフォーマットの一例として、無線局Ａからの送信信号と、無線局Ｃからの送信信号と、無線局Ｄからの送信信号を示してある。
図２において、各信号名の添え字ａ、ｃ、ｄは、元の符号が暗号化されていることを示しており、ａは無線局Ａの鍵により暗号化されたものを表しており、ｃは無線局Ｃの鍵により暗号化されたものを表しており、ｄは無線局Ｄの鍵により暗号化されたものを表している。
【００１８】
図２に示されるように、本例では、先頭に位置する２個のアドレスである受信局アドレスと送信局アドレスについては、中継毎にアドレスが置き換わるとともに、暗号化も別の鍵（本例では、送信局の鍵）によって行われるが、その後に続くデータ部分（宛先アドレスと発信元アドレスとデータ）については、中継局は発信局で暗号化されたままの符号を変えずに送信する。
【００１９】
具体的には、無線局Ａから無線局Ｃへの伝送では、信号の全て（ＡＤ３、ＡＤ１、ＡＤ２、ＡＤ１、データ）が無線局Ａの送信時点における鍵に従って暗号化されて送信される。無線局Ｃから無線局Ｄへの伝送では、先頭の受信局アドレス（ＡＤ４）と送信局アドレス（ＡＤ３）については無線局Ｃの送信時点における鍵に従って暗号化されて送信され、それに続く他の信号部分（ＡＤ２、ＡＤ１、データ）については前記無線局Ａの鍵に従って暗号化されたままの状態で送信される。同様に、無線局Ｄから無線局Ｂへの伝送では、先頭の受信局アドレス（ＡＤ２）と送信局アドレス（ＡＤ４）については無線局Ｄの送信時点における鍵に従って暗号化されて送信され、それに続く他の信号部分（ＡＤ２、ＡＤ１、データ）については前記無線局Ａの鍵に従って暗号化されたままの状態で送信される。
【００２０】
このような処理により、本例では、中継によって変化しない宛先アドレスと発信元アドレスとデータの部分については、発信局で暗号化されたままの符号で中継され、このため、同じ符号を複数回暗号化することなく、中継伝送を行うことができる。このことは、暗号の強度を維持するために大きな効果を発揮することができる。
【００２１】
また、本例では、暗号化の方式の一例として、共通鍵暗号化の方式が用いられており、具体的には、各無線局が使用する暗号鍵は予めすべての無線局に配布されてメモリに記憶されており、各無線局はメモリに記憶された共通の暗号鍵を使用して暗号化や復号（暗号解読）を行う。
したがって、本例のネットワークでは任意の無線局からの送信信号を他のすべての無線局で復号できる。
【００２２】
次に、本例の無線局において行われる動作の一例を示す。
本例では、データは、宛先アドレスと発信元アドレスが付けられた状態で受け渡し及び伝送され、メモリに一時的に記憶（蓄積）されるものとする。
データの送信では、外部から入力されて送信メモリ１に一時記憶された送信対象となるデータをそのメモリから読み出し、そのデータの宛先アドレスを検出して、次の受信先となる局を制御部１２が有する経路情報に基づいて求め、求めた次の受信先局のアドレスと自局のアドレスを送信メモリ１から読み出したデータの先頭に付加する。そして、そのデータを暗号化部２で暗号化し、変調回路３で所定の変調方式により変調し、送信回路４で無線周波数の信号へ変換して増幅し、送受スイッチ５を通してアンテナ６から無線送信する。
ここで、暗号化部２は、先頭に位置する受信局アドレス及び送信局を示す自局アドレスの部分とその後に続く他のデータ部分とを分けて暗号解読することができるように暗号化を行う。
【００２３】
データの受信では、アンテナ６により無線受信した信号を送受スイッチ５を通して受信回路７に入力し、受信回路７で周波数変換して増幅し、復調回路８で復調し、中継データメモリ９及び暗号解読部１０に入力する。
暗号解読部１０は、先頭に位置する受信局アドレス及び送信局アドレスの部分の解読に引き続いて、必要に応じて、その後に続くデータ部分（ここには、宛先アドレスと発信元アドレスも含まれる）の解読を行う。
次に、暗号解読により暗号を解かれた信号について、先頭に位置する受信局アドレスを検出して、自局により受信する必要があるか否か（つまり、自局が受信先に指定されているか否か）を判定し、受信の必要がなければそのまま待ち受け状態へ戻る。
【００２４】
一方、自局が受信先に指定されている場合には、受信信号中の宛先アドレスを検出して、自局が宛先に指定されているか否かを判定する。
自局が宛先に指定されていた場合には、そのまま受信を続け、暗号解読部１０からの出力データを受信メモリ１１に一時記憶する。受信メモリ１１に蓄積されたデータは、受信終了後に適宜外部へ出力される。
【００２５】
また、自局が受信先に指定されているが、宛先ではない場合には、その宛先アドレスを記憶し、データ部分（ここには、宛先アドレスと発信元アドレスも含まれる）を暗号解読されていない状態のままで中継データメモリ９に記憶する。そして、受信が終了した後に、記憶した宛先アドレスを検出して、次の受信先を制御部１２が有する経路情報に基づいて決定し、決定した次の受信先のアドレスと自局アドレスを暗号化部２により暗号化して先頭に付加して、中継データメモリ９からデータ部分（ここには、宛先アドレスと発信元アドレスも含まれる）を読み出して、変調回路３や送信回路４や送受スイッチ５やアンテナ６により無線送信する。
【００２６】
ここで、アドホック通信における各無線局間の伝送に関する伝送経路を表す経路情報は、例えば、システムを構成する各無線局が、ルーティング制御信号と呼ばれる信号を他局に向けて送信し、他局からのルーティング制御信号を受信して、受信したルーティング制御信号の情報で自局のルーティング制御信号の内容を変更して送信するというように、制御信号の交換を繰り返すことによって生成される。ルーティング制御信号は、送信では制御部１２で生成して暗号化部２で暗号化して送信し、受信では暗号解読部１０で暗号解読したものを制御部１２で受けて処理する。
【００２７】
制御部１２は、無線局における送受信動作の全体を制御するものであり、データ送信の動作を制御する送信制御部２１の機能と、待ち受けやアドレスの解読やデータ受信の動作を制御する受信制御部２２の機能と、中継時における受信した中継データの蓄積や送信等の動作を制御する中継制御部２３の機能と、ルーティング制御信号の送受信や経路情報の作成及び記憶や宛先アドレスからの受信局アドレス（受信先の局）の決定等の処理を行うルーティング制御部２４の機能から構成されている。
なお、アドホック通信において中継の経路（ルート）を決定するアルゴリズムとしては、種々なものが用いられてもよく、例えば、標準化団体ＩＥＴＦ（Ｉｎｔｅｒｎｅｔ  Ｅｎｇｉｎｅｅｒｉｎｇ  Ｔａｓｋ  Ｆｏｒｃｅ）の標準方式などを用いることができる。
【００２８】
次に、図３を参照して、本例の無線局において行われる中継処理の手順の一例を示す。本例では、待ち受け状態において中継対象となるデータを受信して、受信したデータを送信する処理について示す。
無線局では、待ち受け状態において、信号を受信すると、まず、信号中で先頭に位置する受信局アドレスと送信局アドレスを受信し（ステップＳ１）、これらの暗号を復号（解読）して（ステップＳ２）、自局が受信局であるか否かを判定する（ステップＳ３）。
【００２９】
自局が受信局であった場合には、引き続いて、宛先アドレス、発信元アドレス、データを受信する（ステップＳ４）。その中の宛先アドレスの部分の暗号を復号して（ステップＳ５）、自局が宛先局であるか否かを判定する（ステップＳ６）。
自局が宛先局であった場合には、発信元アドレス、データについても暗号を復号し（ステップＳ１１）、復号したデータを取り込んで自局宛ての受信データに対する所定の処理を行う。その後、待ち受け状態へ戻る。
【００３０】
一方、自局が受信局であるが、自局が宛先局ではなかった場合には、メモリに記憶されている経路情報に基づいて、宛先アドレスから次の中継局（次の受信局）のアドレスを決定する（ステップＳ７）。そして、決定した中継局のアドレスと自局のアドレスをそれぞれ受信局アドレスと送信局アドレスとして新たに暗号化して（ステップＳ８）、送信し（ステップＳ９）、それに続いて、受信した宛先アドレス、発信元アドレス、データを、受信した暗号を復号しない符号のままで送信する（ステップＳ１０）。その後、待ち受け状態へ戻る。
【００３１】
以上のように、本例では、複数の無線局がアドホック通信網を構成して、直接電波が到達しない２つの局間の通信を、それらの間にあって相互に電波が到達する関係にある１又は複数の局で中継することによって行い、そこで伝送されるアドレス情報及びデータを暗号化して伝送するシステムにおいて、発信元の局は、電波の受信先（受信局）、電波の送信元（送信局）、データの宛先（宛先局）、データの発信元（発信局）という全てのアドレス情報及びデータを暗号化して送信し、中継を行う局は、中継電波の受信局と送信局を示すアドレス部分についてはその中継電波の受信局と送信局のアドレス情報へ置き換えて新たな暗号化を行い、他の部分（宛先アドレス、発信元アドレス、データ）については受信した符号列をそのままで再送信する。このように、本例の中継局は、暗号化データのアドホック通信において、伝送ルート上のノードに応じて変更されるアドレス情報部分（受信局アドレス及び送信局アドレス）のみについて、暗号解読と再暗号化を行う。
【００３２】
従って、本例では、アドホック通信系で暗号化を行ってデータを伝送する場合に、中継を行う無線局（中継局）は、受信局アドレスと送信局アドレスについては中継毎に異なったアドレスへ置き換わることから新たに暗号化を行って送信する一方、宛先アドレスと発信元アドレスとデータの部分については、受信された暗号化されたままの符号をそのまま再送信するため、例えば、中継局において中継するデータ（本例では、宛先アドレス、発信元アドレス、データ）の暗号を一旦復号して別の鍵で再暗号化するといった処理を回避することができ、効率的で効果的な暗号化通信を実現することができる。具体的には、本例では、アドレス情報（受信局アドレス、送信局アドレス、宛先アドレス、発信元アドレス）やデータを暗号化して秘匿するとともに、中継局においてデータ等（宛先アドレス、発信元アドレス、データ）の再暗号化を回避することを実現することができる。
【００３３】
なお、本例の無線局では、アンテナ６や送受スイッチ５や受信回路７や復調回路８により受信を行う機能により受信手段が構成されており、変調回路３や送信回路４や送受スイッチ５やアンテナ６により送信を行う機能により送信手段が構成されており、暗号化部２の機能により暗号化手段が構成されており、暗号解読部１０の機能により復号手段が構成されており、制御部１２のルーティング制御部２４により経路（ルート）の情報や宛先に基づいて次の受信局を決定する機能により決定手段が構成されており、制御部１２の送信制御部２１によりデータの発信元としての制御を行う機能により発信元制御手段が構成されており、制御部１２の受信制御部２２やルーティング制御部２４や中継制御部２３や送信制御部２１によりデータの中継局としての制御を行う機能により中継制御手段が構成されており、制御部１２の受信制御部２２によりデータの宛先としての制御を行う機能により宛先制御手段が構成されている。
【実施例２】
【００３４】
本発明の第２実施例を説明する。
本実施例では、第１実施例に係る無線通信システムにおいて、ブロードキャスト伝送を行う場合を示す。
ブロードキャスト伝送では、宛先アドレス及び受信先アドレスの情報としてブロードキャストであることを示す特定のコード（例えば、“ＦＦＦＦ”というコードなど）を付して、送信を行う。
中継局は、ブロードキャストの信号を受信した場合には、その宛先アドレスに基づいて自局も宛先の１つであると認識して、そのデータの暗号を復号して受信処理するとともに、受信局アドレスはブロードキャストを示す特定のコードのままとし、自局のアドレスを送信局アドレスに設定し、これらのアドレスを暗号化し、他のアドレス及びデータ（本例では、宛先アドレス、発信元アドレス、データ）については受信時の暗号化されたままの状態で、受信信号を再送信する。
【００３５】
以上のように、本例では、暗号化データのアドホック通信において、ブロードキャスト伝送を行うことができ、中継局において受信したブロードキャストのデータの暗号を復号して取得することができるとともに、そのブロードキャストの信号を再送信して他の局へ伝送することができる。
なお、ブロードキャストの中継方法としては、例えば、全ての局に受信データを再送信する方法と、制御信号のやりとりの中で中継局を指定しておく方法があるが、いずれの方法においても、受信先アドレスの扱いとして本例の方法（例えば、ＦＦＦＦ）を用いることができる。
【００３６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３７】
【図１】本発明の一実施例に係る無線局の装置の構成例を示す図である。
【図２】本発明の一実施例に係る暗号化を行った信号のフォーマットの一例を示す図である。
【図３】本発明の一実施例に係る中継処理の手順の一例を示す図である。
【図４】アドホック通信系の一例を示す図である。
【図５】アドホック通信における信号のフォーマットの一例を示す図である。
【図６】暗号化を行った信号のフォーマットの一例を示す図である。
【符号の説明】
【００３８】
１・・送信メモリ、  ２・・暗号化部、  ３・・変調回路、  ４・・送信回路、  ５・・送受スイッチ、  ６・・アンテナ、  ７・・受信回路、  ８・・復調回路、  ９・・中継データメモリ、  １０・・暗号解読部、  １１・・受信メモリ、  １２・・制御部、  ２１・・送信制御部、  ２２・・受信制御部、  ２３・・中継制御部、  ２４・・ルーティング制御部、
【図１】
2008131083.tif 000003
【図２】
2008131083.tif 000004
【図３】
2008131083.tif 000005
【図４】
2008131083.tif 000006
【図５】
2008131083.tif 000007
【図６】
2008131083.tif 000008